(57)【要約】  【課題】トラフィックがない又は少ない場合に発生する可能性が低い又は可能性がない基地局の障害を、簡単に検出する。  【解決手段】診断対象の第１の基地局は、所定の第２の基地局に、送信電力の減衰を指示する。第２の基地局は、第１の基地局からの指示に従って送信電力を減衰することにより、自基地局に呼接続されている端末を第１の基地局に切り替えさせる。第１の基地局は、第２の基地局から自基地局に呼接続を切り替える端末との呼接続処理により自基地局の診断を行う。【選択図】図４
2011259133.tif 000002
【特許請求の範囲】
【請求項１】
端末をハンドオフする機能を有する基地局であって、
自基地局と前記端末との間の呼接続数の低下を検出する呼接続数検出手段と、
前記呼接続数の低下が検出された場合に、送信電力の減衰を指示する通知を所定の基地局に送信する減衰指示手段と、
前記所定の基地局で行われる送信電力の減衰によって当該所定の基地局から自基地局へハンドオフされる端末と呼接続を行うハンドオフ手段と、
前記ハンドオフによる呼接続に関する記録を取得し、当該記録に基づいて自基地局の診断を行う診断手段と、を有する、
ことを特徴とする基地局。
【請求項２】
請求項１に記載の基地局であって、
前記呼接続数検出手段は、前記呼接続数と０又は０より大きい値である所定数とを比較し、前記呼接続数が前記所定数以下である場合に前記呼接続数の低下を検出する、
ことを特徴とする基地局。
【請求項３】
請求項１又は２に記載の基地局であって、
前記診断手段により生成される診断結果を、所定の保守端末に送信する診断結果送信手段、を有する、
ことを特徴とする基地局。
【請求項４】
請求項１〜３いずれか一項に記載の基地局であって、
前記診断手段による診断の後に、送信電力の復旧を指示する通知を前記所定の基地局に送信する復旧指示手段、を有する、
ことを特徴とする基地局。
【請求項５】
端末をハンドオフする機能を有する基地局であって、
送信電力の減衰を指示する通知を他の基地局から受信する減衰指示受信手段と、
前記送信電力の減衰を指示する通知が受信された場合に、自基地局の送信電力の減衰を行う送信電力制御手段と、
自基地局と呼接続している端末から、当該端末が測定している複数の基地局の受信電力情報を受信する受信電力情報受信手段と、
前記送信電力の減衰の開始後、前記受信電力情報に基づいて、前記他の基地局の受信電力と自基地局の受信電力とを比較することにより、当該受信電力情報を送信した端末を前記他の基地局へハンドオフできるか否かを判定するハンドオフ判定手段と、
ハンドオフできると判定された端末を前記他の基地局へハンドオフするハンドオフ手段と、を有する、
ことを特徴とする基地局。
【請求項６】
請求項５に記載の基地局であって、
前記ハンドオフ判定手段は、自基地局の受信電力が前記他の基地局の受信電力より低い場合に、前記受信電力情報を送信した端末を前記他の基地局へハンドオフできると判定する、
ことを特徴とする基地局。
【請求項７】
請求項６に記載の基地局であって、
前記ハンドオフ判定手段は、前記他の基地局の受信電力が所定の受信電力よりも低い場合に、前記受信電力情報を送信した端末を前記他の基地局へハンドオフできないと判定する、
ことを特徴とする基地局。
【請求項８】
請求項５〜７いずれか一項に記載の基地局であって、
送信電力の復旧を指示する通知を前記他の基地局から受信する復旧指示受信手段、を有し、
前記送信電力制御手段は、前記送信電力の復旧を指示する通知が受信された場合に、自基地局の送信電力の復旧を行う、
ことを特徴とする基地局。
【請求項９】
端末をハンドオフする機能を有する基地局を備える無線通信システムであって、
第１の基地局と第２の基地局を備え、
前記第１の基地局は、
自基地局と前記端末との間の呼接続数の低下を検出する呼接続数検出手段と、
前記呼接続数の低下が検出された場合に、送信電力の減衰を指示する通知を前記第２の基地局に送信する減衰指示手段と、
前記第２の基地局で行われる送信電力の減衰によって当該第２の基地局から自基地局へハンドオフされる端末と呼接続を行う第１のハンドオフ手段と、
前記ハンドオフによる呼接続に関する記録を取得し、当該記録に基づいて自基地局の診断を行う診断手段と、を有し、
前記第２の基地局は、
前記送信電力の減衰を指示する通知を前記第１の基地局から受信する減衰指示受信手段と、
前記送信電力の減衰を指示する通知が受信された場合に、自基地局の送信電力の減衰を行う送信電力制御手段と、
自基地局と呼接続している端末から、当該端末が測定している複数の基地局の受信電力情報を受信する受信電力情報受信手段と、
前記送信電力の減衰の開始後、前記受信電力情報に基づいて、前記第１の基地局の受信電力と自基地局の受信電力とを比較することにより、当該受信電力情報を送信した端末を前記第１の基地局へハンドオフできるか否かを判定するハンドオフ判定手段と、
ハンドオフできると判定された端末を前記第１の基地局へハンドオフする第２のハンドオフ手段と、を有する、
ことを特徴とする無線通信システム。
【請求項１０】
端末をハンドオフする機能を有する基地局を備える無線通信システムにおける基地局の診断方法であって、
前記無線通信システムは、第１の基地局と第２の基地局を備え、
前記第１の基地局は、
自基地局と前記端末との間の呼接続数の低下を検出する呼接続数検出ステップと、
前記呼接続数の低下が検出された場合に、送信電力の減衰を指示する通知を前記第２の基地局に送信する減衰指示ステップと、
前記第２の基地局で行われる送信電力の減衰によって当該第２の基地局から自基地局へハンドオフされる端末と呼接続を行う第１のハンドオフステップと、
前記ハンドオフによる呼接続に関する記録を取得し、当該記録に基づいて自基地局の診断を行う診断ステップと、を実行し、
前記第２の基地局は、
前記送信電力の減衰を指示する通知を前記第１の基地局から受信する減衰指示受信ステップと、
前記送信電力の減衰を指示する通知が受信された場合に、自基地局の送信電力の減衰を行う送信電力制御ステップと、
自基地局と呼接続している端末から、当該端末が測定している複数の基地局の受信電力情報を受信する受信電力情報受信ステップと、
前記送信電力の減衰の開始後、前記受信電力情報に基づいて、前記第１の基地局の受信電力と自基地局の受信電力とを比較することにより、当該受信電力情報を送信した端末を前記第１の基地局へハンドオフできるか否かを判定するハンドオフ判定ステップと、
ハンドオフできると判定された端末を前記第１の基地局へハンドオフする第２のハンドオフステップと、を実行する、
ことを特徴とする基地局の診断方法。
【請求項１１】
端末をハンドオフする機能を有する基地局であって、
自基地局と前記端末との間の呼接続数の低下を検出する呼接続数検出手段と、
前記呼接続数の低下が検出された場合に、所定の基地局に対して、当該所定の基地局に呼接続されている端末を自基地局にハンドオフさせる指示を送信するハンドオフ指示手段と、
前記ハンドオフの指示を受信した前記所定の基地局からの指示に従って自基地局へハンドオフを要求してきた端末と、呼接続を行うハンドオフ手段と、
前記ハンドオフによる呼接続に関する記録を取得し、当該記録に基づいて自基地局の診断を行う診断手段と、を有する、
ことを特徴とする基地局。
【請求項１２】
端末をハンドオフする機能を有する基地局であって、
他の基地局から、自基地局に呼接続されている端末を当該他の基地局にハンドオフさせる指示を受信するハンドオフ指示受信手段と、
自基地局と呼接続している端末から、当該端末が測定している複数の基地局の受信電力情報を受信する受信電力情報受信手段と、
前記ハンドオフの指示が受信された場合に、前記受信電力情報に基づいて、前記他の基地局の受信電力と所定の受信電力とを比較することにより、当該受信電力情報を送信した端末を前記他の基地局へハンドオフできるか否かを判定するハンドオフ判定手段と、
ハンドオフできると判定された端末に、前記他の基地局へのハンドオフを指示するハンドオフ指示手段と、を有する、
ことを特徴とする基地局。
【請求項１３】
請求項１２に記載の基地局であって、
前記ハンドオフ判定手段は、前記他の基地局の受信電力が前記所定の受信電力よりも高い場合に、前記受信電力情報を送信した端末を前記他の基地局へハンドオフできると判定する、
ことを特徴とする基地局。
【請求項１４】
端末をハンドオフする機能を有する基地局を備える無線通信システムであって、
第１の基地局と第２の基地局を備え、
前記第１の基地局は、
自基地局と前記端末との間の呼接続数の低下を検出する呼接続数検出手段と、
前記呼接続数の低下が検出された場合に、前記第２の基地局に対して、当該第２の基地局に呼接続されている端末を自基地局にハンドオフさせる指示を送信する第１のハンドオフ指示手段と、
前記ハンドオフの指示を受信した前記第２の基地局からの指示に従って自基地局へハンドオフを要求してきた端末と、呼接続を行うハンドオフ手段と、
前記ハンドオフによる呼接続に関する記録を取得し、当該記録に基づいて自基地局の診断を行う診断手段と、を有し、
前記第２の基地局は、
前記第１の基地局から、自基地局に呼接続されている端末を当該第１の基地局にハンドオフさせる指示を受信するハンドオフ指示受信手段と、
自基地局と呼接続している端末から、当該端末が測定している複数の基地局の受信電力情報を受信する受信電力情報受信手段と、
前記ハンドオフの指示が受信された場合に、前記受信電力情報に基づいて、前記第１の基地局の受信電力と所定の受信電力とを比較することにより、当該受信電力情報を送信した端末を前記第１の基地局へハンドオフできるか否かを判定するハンドオフ判定手段と、
ハンドオフできると判定された端末に、前記第１の基地局へのハンドオフを指示する第２のハンドオフ指示手段と、を有する、
ことを特徴とする無線通信システム。
【請求項１５】
端末をハンドオフする機能を有する基地局を備える無線通信システムにおける基地局の診断方法であって、
前記無線通信システムは、第１の基地局と第２の基地局を備え、
前記第１の基地局は、
自基地局と前記端末との間の呼接続数の低下を検出する呼接続数検出ステップと、
前記呼接続数の低下が検出された場合に、前記第２の基地局に対して、当該第２の基地局に呼接続されている端末を自基地局にハンドオフさせる指示を送信する第１のハンドオフ指示ステップと、
前記ハンドオフの指示を受信した前記第２の基地局からの指示に従って自基地局へハンドオフを要求してきた端末と、呼接続を行うハンドオフステップと、
前記ハンドオフによる呼接続に関する記録を取得し、当該記録に基づいて自基地局の診断を行う診断ステップと、を実行し、
前記第２の基地局は、
前記第１の基地局から、自基地局に呼接続されている端末を当該第１の基地局にハンドオフさせる指示を受信するハンドオフ指示受信ステップと、
自基地局と呼接続している端末から、当該端末が測定している複数の基地局の受信電力情報を受信する受信電力情報受信ステップと、
前記ハンドオフの指示が受信された場合に、前記受信電力情報に基づいて、前記第１の基地局の受信電力と所定の受信電力とを比較することにより、当該受信電力情報を送信した端末を前記第１の基地局へハンドオフできるか否かを判定するハンドオフ判定ステップと、
ハンドオフできると判定された端末に、前記第１の基地局へのハンドオフを指示する第２のハンドオフ指示ステップと、を実行する、
ことを特徴とする基地局の診断方法。
【発明の詳細な説明】
【技術分野】
【０００１】
本発明は、基地局の診断に関し、特に、移動体通信システムにおける基地局の障害診断に関する。
【背景技術】
【０００２】
移動体通信システムを運用する上で、システムの安定性は重要な要素の１つである。システムを安定的に動作させるためには、システムの運用が停止する障害を発生させないとともに、障害が発生した場合には迅速にその障害を検出して復旧させることが求められる。従って、無線基地局の障害検出プロセスや障害診断方法は重要である。
【０００３】
移動体通信システムは、一例として、ユーザの使用する無線通信端末、当該無線通信端末と無線信号の送受信及び無線リソース管理を行う無線基地局、ネットワーク間のＩＰルーティング及び媒体変換を行うとともに無線基地局を集約するルーター（ゲートウェイ）、データパケット制御及びセッション管理を行うノード、ネットワークの管理や運用を行う各種サーバ、オペレーション管理を行う障害監視サーバ等の要素で構成される。
【０００４】
上記移動体通信システムを構成する要素のうち無線基地局は、インフラ側の末端に位置し、設置数が数千局以上に及ぶことがあり、メンテナンスや障害の調査のために定期的に入局する事は困難である。そのため、障害監視サーバや保守端末からネットワーク経由で無線基地局を監視する手段が一般的である。
【０００５】
無線基地局を診断する方法として、例えば特許文献１がある。特許文献１では、無線基地局は診断を行う基地局診断部を内部に備える。そして、障害監視サーバからネットワーク経由で基地局診断部が制御されることにより、呼の発信、呼の着信などの呼接続の試験を行うことができる。この方法は、発信機、受信機、信号の変調復調部などを一通り動作させることができ、無線基地局の診断方法としては有効である。
【０００６】
また、無線基地局を診断する他の方法として、呼処理の経過で発生するイベントの結果を集計する方法がある。この方法では、無線基地局は、端末と無線信号の送受信を行い、その際の呼処理の経過で発生したイベントの結果を収集、記録する。これらの記録された情報は、呼処理が正常に行われているか否かを判断するための情報として用いることができる。
【０００７】
例えば、端末の電源が投入され基地局により当該端末の認識が完了した場合や、端末認証のために無線リンクを確立した場合、といった正常な呼処理中に発生するイベントの結果の記録は、基地局の呼処理が正常に動作していることの判断基準となる。記録の数量に基づいて基地局の稼働状況を把握する事も可能である。また、例えば、基地局から認証サーバへの端末認証要求に対して応答が無い場合や、端末のハンドオフ時に呼情報の転送に失敗した場合、といった基地局の内部の通信異常や基地局の通信先装置の無応答などの要因で生成される記録は、呼処理が正常に行われていないことの判断基準となり、基地局の故障を発見するための有用な情報となる。
【０００８】
この方法は運用中の基地局からイベントの結果を収集すればよいので、例えば数千局以上もの膨大な数の基地局に対して同時に実行することができる。また、過去のイベントの記録を収集すればよいので、実行に時間が掛らないという利点がある。
【先行技術文献】
【特許文献】
【０００９】
【特許文献１】特開２００７−２０８７６２号公報
【発明の概要】
【発明が解決しようとする課題】
【００１０】
さて、移動体通信システムでは、例えば、広いサービスエリアはセルと呼ばれる多数の小さなエリアに分割され、各セル内に無線基地局が配置される。各無線基地局は、ネットワークを介して接続される。ユーザ端末は、当該端末が属するセルの無線基地局と無線通信を行い、ネットワークを経由して他の端末やサーバ装置と通信を行うことができる。
【００１１】
上述したように、これらの無線基地局で何らかの障害が発生した際には、その障害を的確に検出する必要がある。また、一般的に移動体通信サービスは毎日２４時間継続的に行われるため、いかに移動体通信サービスに影響を与えることなく無線基地局の障害を検出するかが重要である。
【００１２】
ここで、無線基地局の障害には、無線通信のトラフィックがある程度の量流れないと発生しない障害がある。例えば、複数の端末に対して同時に呼処理が行われないとアクセスされないメモリのアドレスのリードライトに不具合がある場合である。このような不具合による障害は、特に、無線基地局の通信エリア内に端末が存在しない、端末が存在しても呼接続が行われていない、又は呼接続している端末が少ない場合（例えば、夜間のオフィスビル街）に、検出することが難しい。
【００１３】
特許文献１の方法では、基地局診断部は１つの呼の接続しかできないため、ある程度の量のトラフィックが流れないと発生しない障害を検出することは困難である。また、１回の診断にある程度の時間を要するため、何千台もの基地局の診断を行いデータ集計するには不向きである。
【００１４】
また、呼処理中に発生するイベントの結果の記録より呼処理の正常性を判断する方法では、無線基地局の通信エリア内に端末が存在しない、端末が存在しても呼接続が行われていない、又は呼接続している端末が少ない場合、当該無線基地局のセルには十分なトラフィックが流れず、呼処理中に発生するイベントの結果を十分に収集することができない。そのため、ある程度の量のトラフィックが流れないと発生しない障害を検出することは困難である。
【００１５】
このように、無線通信のトラフィックがある程度の量流れないと発生しない障害は、発見することが難しい。このような障害を発見できない場合、未然に障害を防ぐことができず、障害が発生した場合には障害の調査や復旧に時間がかかり、移動体通信サービスに影響を与える可能性がある。
【００１６】
そこで、本発明は、トラフィックがない又は少ない場合に発生する可能性が低い又は可能性がない基地局の障害を、簡単に検出することを目的とする。
【課題を解決するための手段】
【００１７】
上記の課題を解決するため本発明の第１の態様は次のとおりである。診断対象の第１の基地局は、所定の第２の基地局に、送信電力の減衰を指示する。第２の基地局は、第１の基地局からの指示に従って送信電力を減衰することにより、自基地局に呼接続されている端末を第１の基地局に切り替えさせる。第１の基地局は、第２の基地局から自基地局に呼接続を切り替える端末との呼接続処理により自基地局の診断を行う。
【００１８】
より具体的には、第１の基地局は、自基地局と前記端末との間の呼接続数の低下を検出する呼接続数検出手段と、前記呼接続数の低下が検出された場合に、送信電力の減衰を指示する通知を所定の基地局に送信する減衰指示手段と、前記所定の基地局で行われる送信電力の減衰によって当該所定の基地局から自基地局へハンドオフされる端末と呼接続を行うハンドオフ手段と、前記ハンドオフによる呼接続に関する記録を取得し、当該記録に基づいて自基地局の診断を行う診断手段と、を有する。
【００１９】
より具体的には、第２の基地局は、送信電力の減衰を指示する通知を他の基地局から受信する減衰指示受信手段と、前記送信電力の減衰を指示する通知が受信された場合に、自基地局の送信電力の減衰を行う送信電力制御手段と、自基地局と呼接続している端末から、当該端末が測定している複数の基地局の受信電力情報を受信する受信電力情報受信手段と、前記送信電力の減衰の開始後、前記受信電力情報に基づいて、前記他の基地局の受信電力と自基地局の受信電力とを比較することにより、当該受信電力情報を送信した端末を前記他の基地局へハンドオフできるか否かを判定するハンドオフ判定手段と、ハンドオフできると判定された端末を前記他の基地局へハンドオフするハンドオフ手段と、を有する。
【００２０】
上記の課題を解決するため本発明の第２の態様は次のとおりである。診断対象の第１の基地局は、所定の第２の基地局に、当該第２の基地局と呼接続中の端末の自基地局への切り替えを指示する。第２の基地局は、第１の基地局からの指示に従って、自基地局と呼接続中の端末に第１の基地局への切り替えを指示する。第１の基地局は、第２の基地局からの指示に従って自基地局に呼接続を切り替える端末との呼接続処理により自基地局の診断を行う。
【００２１】
より具体的には、第１の基地局は、自基地局と前記端末との間の呼接続数の低下を検出する呼接続数検出手段と、前記呼接続数の低下が検出された場合に、所定の基地局に対して、当該所定の基地局に呼接続されている端末を自基地局にハンドオフさせる指示を送信するハンドオフ指示手段と、前記ハンドオフの指示を受信した前記所定の基地局からの指示に従って自基地局へハンドオフを要求してきた端末と、呼接続を行うハンドオフ手段と、前記ハンドオフによる呼接続に関する記録を取得し、当該記録に基づいて自基地局の診断を行う診断手段と、を有する。
【００２２】
より具体的には、第２の基地局は、他の基地局から、自基地局に呼接続されている端末を当該他の基地局にハンドオフさせる指示を受信するハンドオフ指示受信手段と、自基地局と呼接続している端末から、当該端末が測定している複数の基地局の受信電力情報を受信する受信電力情報受信手段と、前記ハンドオフの指示が受信された場合に、前記受信電力情報に基づいて、前記他の基地局の受信電力と所定の受信電力とを比較することにより、当該受信電力情報を送信した端末を前記他の基地局へハンドオフできるか否かを判定するハンドオフ判定手段と、ハンドオフできると判定された端末に、前記他の基地局へのハンドオフを指示するハンドオフ指示手段と、を有する。
【発明の効果】
【００２３】
本発明によれば、トラフィックがない又は少ない場合に発生する可能性が低い又は可能性がない基地局の障害を、簡単に検出することができる。
【図面の簡単な説明】
【００２４】
【図１】本発明の第一実施形態の一例に係る無線通信システム１の概略図である。
【図２】本発明の第一実施形態の一例に係る無線基地局１００の構成を示すブロック図である。
【図３】本発明の第一実施形態の一例に係る保守端末１０４の構成を示すブロック図である。
【図４】本発明の第一実施形態の一例に係る無線基地局診断を示すシーケンス図である。
【図５】本発明の第一実施形態の一例に係る呼接続数低下検出処理を示すフロー図である。
【図６】本発明の第一実施形態の一例に係るハンドオフ判定処理を示すフロー図である。
【図７】本発明の第二実施形態の一例に係る無線基地局診断を示すシーケンス図である。
【図８】本発明の第二実施形態の一例に係る接続先切替判定処理を示すフロー図である。
【図９】携帯端末における受信電力の具体例を示す図である。
【発明を実施するための形態】
【００２５】
以下、本発明の第一実施形態について図面を参照して説明する。
【００２６】
本実施形態では、呼接続数が０又は所定値以下の第１の無線基地局に対し、当該第１の無線基地局の周辺の所定の第２の無線基地局に呼接続されている携帯端末を、第２の無線基地局の送信電力を減衰させることによりハンドオフ（ハンドオーバー）し、その際に第１の無線基地局において発生する呼処理のイベントの結果を収集することにより、第１の無線基地局に障害があるか否か（正常性）を診断する。以下、詳細に説明する。
【００２７】
図１は、本発明の第一実施形態の一例に係る無線通信システム１の概略図である。
【００２８】
無線通信システム１は、無線基地局１００と、携帯端末１０１と、ゲートウェイ１０２と、ネットワーク１０３と、保守端末１０４とを有する。
【００２９】
携帯端末１０１は、無線基地局１００と無線通信を行い、例えば、他の無線基地局１００に接続される携帯端末、ネットワーク１０３上のサーバ装置や端末、保守端末１０４、ネットワーク１０３を介して接続される他の無線基地局に接続される携帯端末などと、音声通信やデータ通信を行う。無線通信方式には、例えば、ＣＤＭＡ２０００やＬＴＥ（Long Term Evolution）等を用いることができる。
【００３０】
ゲートウェイ１０２は、無線基地局１００を集約し、無線基地局１００とネットワーク１０３の間、及び無線基地局１００間のパケット通信を制御する。また、ゲートウェイ１０２は、携帯端末１０１の無線基地局１００間のハンドオフを制御する。ゲートウェイ１０２は、例えば、ＩＰルーティング、プロトコル変換、伝送媒体変換等を行うルーターである。ネットワーク１０３には、例えば、インターネット、公衆電話網など各種のネットワークが含まれる。ネットワーク１０３には、交換局、ホーム・ロケーション・レジスタ等が含まれていてもよい。
【００３１】
保守端末１０４は、ネットワーク１０３を介して、無線基地局１００の制御、障害の監視、診断等を行う。保守者（ユーザ）は、保守端末１０４を使用する事により、遠隔から無線基地局１００を監視することができる。
【００３２】
もちろん、上記の無線通信システム１の構成は、本願発明の特徴を説明するにあたって主要構成を説明したのであって、上記に限られない。また、一般的な無線通信システムが備える他の構成を排除するものではない。例えば、各構成要素の数は、図示されている数に限られない。
【００３３】
図２は、本発明の第一実施形態の一例に係る無線基地局１００の構成を示すブロック図である。
【００３４】
無線基地局１００は、無線信号送受信部２００、変復調処理部２０１、回線インタフェース部２０２、及び基地局制御部２０３を有する。
【００３５】
無線信号送受信部２００は、送受信共用の０系アンテナ２０４と、受信用の１系アンテナ２０５を有し、送受信信号の増幅、ベースバンド信号変換、パイロット信号の送信、等を行う。変復調処理部２０１は、データの変調及び復調を行う。回線インタフェース部２０２は、無線基地局１００とゲートウェイ１０２のインタフェースとして機能する。これらのユニットは、例えば、専用回路により構成することができる。
【００３６】
基地局制御部２０３は、無線基地局１００の全体の動作を制御するユニットである。基地局制御部２０３は、送信電力制御部２０６、プロトコル処理部２０７、記憶部２０８、呼接続数低下検出部２０９、診断処理部２１０、及びハンドオフ判定部２１１を有する。
【００３７】
送信電力制御部２０６は、無線信号送受信部２００の送信電力の制御を行う。具体的には、送信電力制御部２０６は、送信電力の減衰を指示する通知（以下、「送信電力減衰指示通知」と呼ぶ。）を、診断対象の無線基地局１００から回線インタフェース部２０２及びプロトコル処理部２０７を介して受け付けた場合に、送信電力の減衰を開始する。送信電力制御部２０６は、所定時間毎に所定の減衰幅（例えば、１ｄＢｍ）低下するように送信電力を徐々に減衰させる。
【００３８】
また、送信電力制御部２０６は、送信電力の減衰の開始後、ハンドオフ判定部２１１の指示に応じて、送信電力の減衰を終了（停止）するとともに、その旨の通知（以下、「送信電力減衰終了通知」と呼ぶ。）の送信を、プロトコル処理部２０７に指示する。また、送信電力制御部２０６は、送信電力の復旧を指示する通知（以下、「送信電力復旧指示通知」と呼ぶ。）を、診断対象の無線基地局１００から回線インタフェース部２０２及びプロトコル処理部２０７を介して受け付けた場合に、減衰した送信電力を減衰開始前の通常の電力まで復旧させる。
【００３９】
プロトコル処理部２０７は、プロトコルに従って携帯端末１０１に対する呼接続処理やハンドオフ処理を行う。また、プロトコル処理部２０７は、呼接続に関する情報（例えば、接続先や接続元の識別情報、呼接続数等）の管理、呼処理（ハンドオフを含む）イベントの記録等を行う。これらの情報や記録は、例えば、記憶部２０８に格納することができる。
【００４０】
また、プロトコル処理部２０７は、各種の通知の送受信を行う。具体的には、プロトコル処理部２０７は、呼接続数低下検出部２０９の指示に応じて、送信電力減衰指示通知及び送信電力復旧指示通知を、回線インタフェース部２０２を介して、周辺基地局情報２０８０により特定される所定の無線基地局１００に送信する。また、プロトコル処理部２０７は、診断処理部２１０の指示に応じて、診断結果を、回線インタフェース部２０２を介して保守端末１０４に送信する。また、プロトコル処理部２０７は、送信電力減衰終了通知を受信して、診断処理部２１０に通知する。
【００４１】
また、プロトコル処理部２０７は、送信電力制御部２０６の指示に応じて、送信電力減衰終了通知を、回線インタフェース部２０２を介して診断対象の無線基地局１００に送信する。また、プロトコル処理部２０７は、送信電力減衰指示通知及び送信電力復旧指示通知を受信して、送信電力制御部２０６に通知する。
【００４２】
記憶部２０８は、周辺基地局情報２０８０を記憶する。周辺基地局情報２０８０には、自基地局の周辺の無線基地局１００（例えば、自基地局のセルに隣接する周辺セルの無線基地局１００）を特定する情報が含まれる。プロトコル処理部２０７は、周辺基地局情報２０８０を用いることにより、例えば、携帯端末１０１のハンドオフ先やハンドオフ元の他の無線基地局１００と、ゲートウェイ１０２を介して通信を行うことができる。なお、記憶部２０８は、呼接続に関する情報や呼処理（ハンドオフを含む）イベントの記録等を格納してもよい。
【００４３】
呼接続数低下検出部２０９は、自基地局と携帯端末１０１との呼接続状態を監視し、所定時間の間、呼接続数が０又は所定値以下である場合に、呼接続数が低下したと判断し、送信電力減衰指示通知の送信をプロトコル処理部２０７に指示する。また、呼接続数低下検出部２０９は、診断処理部２１０の指示に応じて、送信電力復旧指示通知の送信をプロトコル処理部２０７に指示する。詳細は図５において説明する。
【００４４】
診断処理部２１０は、診断対象の無線基地局１００の診断を行い、その診断結果を出力する。例えば、診断処理部２１０は、診断対象の無線基地局１００の周辺の全ての無線基地局１００（送信電力減衰指示通知が送信された無線基地局１００）から、送信電力減衰終了通知を、回線インタフェース部２０２及びプロトコル処理部２０７を介して受け付けた場合に、診断処理を開始する。
【００４５】
なお、診断処理の開始条件は、上記に限られない。例えば、送信電力減衰指示が通知されてから所定時間経過した場合、送信電力減衰指示通知の送信後のハンドオフによる呼接続が所定数に達した場合、所定数の無線基地局１００から送信電力減衰終了通知を受信した場合、保守端末１０４から開始を指示された場合などに、診断処理が開始されるようにしてもよい。
【００４６】
診断処理では、診断処理部２１０は、プロトコル処理部２０７により実行される携帯端末１０１のハンドオフの際の呼処理で発生したイベントの記録を、プロトコル処理部２０７から取得する。そして、イベントの記録を解析して診断結果を生成し、当該診断結果を保守端末１０４へ送信するように、プロトコル処理部２０７に指示する。また、診断結果の送信後、診断処理の終了を呼接続数低下検出部２０９に通知する。なお、保守端末１０４のアドレス情報（例えば、ＩＰアドレス）は、予め記憶部２０８に記憶することができる。
【００４７】
もちろん、診断処理部２１０がイベントの記録を保守端末１０４に単に送信し、保守端末１０４が受信したイベントの記録を解析して診断結果を生成するようにしてもよい。
【００４８】
ハンドオフ判定部２１１は、携帯端末１０１から定期的に又は要求に応じて送られる受信電力報告に基づいて、当該携帯端末１０１を他の無線基地局１００から診断対象の自基地局にハンドオフ可能か否かを判定する。受信電力報告とは、携帯端末１０１が複数の無線基地局１００から受信しているパイロット信号の受信電力を測定することにより生成され、無線基地局１００ごとの受信電力の値を含む情報である。
【００４９】
具体的には、ハンドオフ判定部２１１は、無線信号送受信部２００及び変復調処理部２０１を介して、自基地局に呼接続されている携帯端末１０１から受信電力報告を受信する。そして、受信電力報告に含まれる自基地局の受信電力と他の基地局の受信電力とを比較し、自基地局の受信電力が他の基地局の受信電力よりも小さい場合に、当該携帯端末１０１の他の基地局へのハンドオフが可能であると判定する。ハンドオフが可能な場合、ハンドオフ処理を実行するようにプロトコル処理部２０７に指示する。ハンドオフが不可能な場合、送信電力の減衰を終了するように、送信電力制御部２０６に指示する。詳細は図６において説明する。
【００５０】
なお、基地局制御部２０３は、例えば、ＣＰＵ、ＲＡＭ、ＲＯＭ等を有するコンピュータにより実現することができる。そして、送信電力制御部２０６、プロトコル処理部２０７、記憶部２０８、呼接続数低下検出部２０９、診断処理部２１０、及びハンドオフ判定部２１１は、例えば、ＣＰＵが所定のプログラムをＲＯＭからＲＡＭに読み出して実行することにより実現される。当該プログラムは、例えば、ＣＤ−ＲＯＭやフラッシュＲＯＭ等の持ち運び可能な記憶媒体により、又はゲートウェイ１０２を介してネットワーク１０３から、基地局制御部２０３にインストールしたり更新したりすることができる。
【００５１】
もちろん、上記の無線基地局１００の構成は、本願発明の特徴を説明するにあたって主要構成を説明したのであって、上記に限られない。また、一般的な無線基地局が備える他の構成を排除するものではない。また、無線基地局１００の各構成要素は、無線基地局１００に関する構成を理解容易にするために、主な処理内容に応じて分類したものである。構成要素の分類の仕方や名称によって、本願発明が制限されることはない。無線基地局１００の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。
【００５２】
図３は、本発明の第一実施形態の一例に係る保守端末１０４の構成を示すブロック図である。
【００５３】
保守端末１０４は、回線インタフェース部３００、基地局情報収集部３０１、入力部３０２、出力部３０３、及び記憶部３０４を有する。
【００５４】
回線インタフェース部３００は、ネットワーク１０３と通信を行うインタフェースとして機能する。入力部３０２は、ユーザの操作を受け付ける。出力部３０３は、各種の情報をユーザに対して出力する。
【００５５】
基地局情報収集部３０１は、回線インタフェース部３００を介してネットワーク１０３と接続し、無線基地局１００の遠隔監視・制御を行う。基地局情報収集部３０１は、例えば、無線基地局１００から送られる診断結果を受信し、記憶部３０４の基地局データベース（ＤＢ）３０４０に格納する。また、基地局情報収集部３０１は、入力部３０２を介して基地局ＤＢ３０４０の編集等のユーザ操作を受け付けたり、基地局ＤＢ３０４０に含まれる情報を出力部３０３に視覚的に出力したりする。
【００５６】
なお、保守端末１０４は、例えば、ＣＰＵ、ＲＡＭ、ＲＯＭ、補助記憶装置、キーボードやマウス等の入力装置、ディスプレイ、通信装置等を有する一般的なコンピュータにより実現することができる。基地局情報収集部３０１は、例えば、ＣＰＵが所定のプログラムをＲＯＭからＲＡＭに読み出して実行することにより実現される。また、回線インタフェース部３００は通信装置により、入力部３０２は入力装置により、出力部３０３はディスプレイにより、記憶部３０４は補助記憶装置により実現される。
【００５７】
もちろん、上記の保守端末１０４の構成は、本願発明の特徴を説明するにあたって主要構成を説明したのであって、上記に限られない。また、一般的な保守端末が備える他の構成を排除するものではない。
【００５８】
携帯端末１０１は、データ通信及び／又は音声通信を行う機能を有する一般的な携帯端末である。携帯端末１０１は、複数の無線基地局１００と同時に通信可能であり、複数の無線基地局１００から送信されるパイロット信号を監視して、受信電力を測定する機能を有する。また、各無線基地局１００の受信電力を、定期的に又は無線基地局１００からの指示に応じて、無線基地局１００に受信電力報告として通知する機能を有する。また、携帯端末１０１は、ハンドオフ処理を制御する機能を有する。
【００５９】
図４は、本発明の第一実施形態の一例に係る無線基地局診断を示すシーケンス図である。
【００６０】
本図では、無線基地局１００Ａは、診断対象となる無線基地局である。無線基地局１００Ｂは、無線基地局１００Ａの周辺に位置する無線基地局１００のうちの一つであり、少なくとも１以上の携帯端末１０１（本図では、携帯端末Ａ及び携帯端末Ｂの二台を図示している。）と呼接続（音声通信やデータ通信）を行っている。無線基地局１００Ａ、及び無線基地局１００Ａの周辺に位置する無線基地局１００（無線基地局１００Ｂを含む。）は、同じゲートウェイ１０２に集約される同一通信エリアに属し、それぞれの無線基地局の周辺基地局情報２０８０には、自基地局の周辺の無線基地局を特定する情報が含まれている。
【００６１】
本図では、説明を分かりやすくするために構成を簡略化している。しかし、もちろん、診断対象の無線基地局１００Ａが送信電力減衰指示通知を送信する宛先の無線基地局１００は、無線基地局１００Ｂの一台に限られない。送信電力減衰指示通知を受信した無線基地局１００は、無線基地局１００Ｂと同様に動作する。
【００６２】
Ｓ１０では、携帯端末１０１Ａ及び携帯端末１０１Ｂは、無線基地局１００Ｂと呼接続中であり、無線基地局１００Ｂ及びゲートウェイ１０２を介して、ネットワーク１０３上の端末や、他の無線基地局１００に接続されている端末等と、データ通信や音声通信を行っている。
【００６３】
Ｓ２０では、無線基地局１００Ａの呼接続数低下検出部２０９は、呼接続数低下検出処理を行う。具体的に、図５を参照して説明する。図５は、本発明の第一実施形態の一例に係る呼接続数低下検出処理を示すフロー図である。なお、本処理は、無線基地局１００において常時動いていていてもよいし、ユーザがＯＮ又はＯＦＦに切り替えることができてもよい。
【００６４】
Ｓ２１では、呼接続数低下検出部２０９は、カウンタをスタートし、処理をＳ２２に進める。なお、当該カウンタは、時間を計測するためのカウンタである。
【００６５】
Ｓ２２では、呼接続数低下検出部２０９は、プロトコル処理部２０７から無線基地局１００Ａの現在の呼接続数を取得し、当該呼接続数が所定値より大きいか否かを判定する。所定値は、例えば、０又は１以上の予め定められた値である。ユーザが設定できるようにしてもよい（例えば、保守端末１０４から設定できるようにすることができる。）。呼接続数が所定値より大きい場合（Ｓ２２：ＹＥＳ）、呼接続数低下検出部２０９は、処理をＳ２３に進める。呼接続数が所定値以下である場合（Ｓ２２：ＮＯ）、呼接続数低下検出部２０９は、処理をＳ２４に進める。
【００６６】
Ｓ２３では、呼接続数低下検出部２０９は、カウンタをリセット（例えば、０に設定）し、処理をＳ２２に戻す。
【００６７】
Ｓ２４では、呼接続数低下検出部２０９は、カウンタをカウントアップし、処理をＳ２５に進める。
【００６８】
Ｓ２５では、呼接続数低下検出部２０９は、カウンタの値が所定時間を経過しているか否かを判定する。所定時間は、例えば、１０分などの予め定められた時間である。ユーザが設定できるようにしてもよい（例えば、保守端末１０４から設定できるようにすることができる。）。所定時間を経過していない場合（Ｓ２５：ＮＯ）、呼接続数低下検出部２０９は、処理をＳ２２に戻す。所定時間を経過している場合（Ｓ２５：ＹＥＳ）、呼接続数低下検出部２０９は、処理をＳ２６に進める。
【００６９】
Ｓ２６では、呼接続数低下検出部２０９は、呼接続数が低下した状態が継続していると判定し、送信電力減衰指示通知の送信をプロトコル処理部２０７に指示する。そして、処理をＳ２７に進める。
【００７０】
Ｓ２７では、呼接続数低下検出部２０９は、カウンタをリセットし、本フローを終了する。
【００７１】
図４に戻って、無線基地局１００Ａの呼接続数が低下した場合について説明を続ける。
【００７２】
Ｓ３０では、無線基地局１００Ａのプロトコル処理部２０７は、送信電力減衰指示通知を自基地局の周辺の所定の無線基地局１００に送信する。具体的には、呼接続数低下検出部２０９の指示（図５のＳ２６）に応じて、記憶部２０８から周辺基地局情報２０８０を取得し、当該情報により特定される自基地局の周辺の一以上の無線基地局１００（本図では、無線基地局１００Ｂ一台を図示している。）へ、送信電力減衰指示通知を、回線インタフェース部２０２を介して送信する。なお、当該通知は、ゲートウェイ１０２を介して各無線基地局１００に送信される。
【００７３】
Ｓ４０では、無線基地局１００Ｂの送信電力制御部２０６は、回線インタフェース部２０２及びプロトコル処理部２０７を介して送信電力減衰指示通知を受信し、送信電力の減衰を開始する。送信電力制御部２０６は、所定時間毎に所定の減衰幅（例えば、１ｄＢｍ）低下するように送信電力を徐々に減衰させる。
【００７４】
Ｓ５０では、無線基地局１００Ｂのハンドオフ判定部２１１は、呼接続中の携帯端末１０１から定期的に送信されるパイロット信号の受信電力報告（Ｓ６０）に基づいてハンドオフ判定処理を行う。具体的に、図６を参照して説明する。図６は、本発明の第一実施形態の一例に係るハンドオフ判定処理を示すフロー図である。なお、本フローは、呼接続中の携帯端末毎にそれぞれ実行される。
【００７５】
Ｓ５１では、ハンドオフ判定部２１１は、呼接続中の携帯端末１０１から受信電力報告を受信したか否かを監視する。受信電力報告を受信した場合（Ｓ５１：ＹＥＳ）、処理をＳ５２に進める。受信電力報告を受信していない場合（Ｓ５１：ＮＯ）、監視を継続する。
【００７６】
Ｓ５２では、ハンドオフ判定部２１１は、取得した受信電力報告（Ｓ５１）を参照し、自基地局（無線基地局１００Ｂ）の受信電力が最低受信電力よりも大きいか否かを判定する。最低受信電力とは、少なくとも携帯端末１０１が無線基地局１００と呼接続を維持できる受信電力であり、予め定められている値である。もちろん、ユーザにより変更可能であってもよい。自基地局（無線基地局１００Ｂ）の受信電力が最低受信電力以下である場合（Ｓ５２：ＮＯ）、ハンドオフ判定部２１１は、処理をＳ５５に進める。自基地局（無線基地局１００Ｂ）の受信電力が最低受信電力よりも大きい場合（Ｓ５２：ＹＥＳ）、処理をＳ５３に進める。
【００７７】
Ｓ５３では、ハンドオフ判定部２１１は、取得した受信電力報告（Ｓ５１）を参照し、自基地局（無線基地局１００Ｂ）の受信電力が、他のいずれかの基地局（無線基地局１００Ａを含む。）の受信電力よりも小さいか否かを判定する。自基地局の受信電力が他のいずれの基地局の受信電力よりも小さくない場合（Ｓ５３：ＮＯ）、処理をＳ５１に戻す。自基地局の受信電力が他のいずれかの基地局の受信電力よりも小さい場合（Ｓ５３：ＹＥＳ）、処理をＳ５４に進める。
【００７８】
なお、携帯端末１０１は複数の無線基地局１００のうち受信電力が最大の無線基地局１００Ｂと呼接続を行っており、また、無線基地局１００Ａ以外の無線基地局１００の送信電力は並行して減衰が行われるため、上記のＳ５３の比較は結局、無線基地局１００Ｂの受信電力と無線基地局１００Ａの受信電力とを比較していることとなる。無線基地局１００Ｂ以外の無線基地局においても同様である。もちろん、単純に無線基地局１００Ｂの受信電力と無線基地局１００Ａの受信電力とを比較するようにしてもよい。
【００７９】
Ｓ５４では、ハンドオフ判定部２１１は、携帯端末１０１を診断対象の無線基地局１００Ａへハンドオフ可能であると判定し、ハンドオフ処理を実行するようにプロトコル処理部２０７に指示する。そして、本フローを終了する。
【００８０】
Ｓ５５では、ハンドオフ判定部２１１は、Ｓ５３と同様の判定を行う。自基地局の受信電力が他のいずれの基地局の受信電力よりも小さくない場合（Ｓ５５：ＮＯ）、処理をＳ５６に進める。自基地局の受信電力が他のいずれかの基地局の受信電力よりも小さい場合（Ｓ５５：ＹＥＳ）、処理をＳ５４に進める。
【００８１】
Ｓ５６では、ハンドオフ判定部２１１は、携帯端末１０１を診断対象の無線基地局１００Ａへハンドオフ不可能と判定し、送信電力の減衰を終了するように送信電力制御部２０６に指示する。そして、本フローを終了する。
【００８２】
なお、ハンドオフ不可能な携帯端末１０１が存在しない場合、ハンドオフ判定部２１１は、全ての携帯端末１０１についてハンドオフ可能と判定した後、送信電力の減衰を終了するように送信電力制御部２０６に指示すればよい。
【００８３】
ここで、図９の携帯端末１０１の受信電力の具体例を参照して、ハンドオフ判定処理を説明する。なお、本図では、無線基地局Ａが診断対象であり、携帯端末Ａ〜Ｃは、それぞれ無線基地局Ｂと呼接続を行っている。また、最低受信電力は、−９０ｄＢｍである。無線基地局Ｂは、無線基地局Ａから送信電力減衰指示通知を受信することにより、送信電力を段階的に（例えば、１ｄＢｍずつ）減衰を開始する。
【００８４】
携帯端末Ａでは、無線基地局Ｂのパイロット信号の受信電力は、当初−６９ｄＢｍであるが、徐々に小さくなり、−８１ｄＢｍとなった時点で無線基地局Ａのパイロット信号−８０ｄＢｍよりも小さくなる。この時点で、無線基地局Ｂは、携帯端末Ａを無線基地局Ａへハンドオフ可能と判定する。
【００８５】
携帯端末Ｂでは、無線基地局Ｂのパイロット信号の受信電力は、当初−７５ｄＢｍであるが、徐々に小さくなり、−９０ｄＢｍとなった時点で最低受信電力と等しく、かつ、無線基地局Ａのパイロット信号−９２ｄＢｍ以上である。この時点で、無線基地局Ｂは、携帯端末Ｂの無線基地局Ａへのハンドオフを不可能と判定する。
【００８６】
携帯端末Ｃでは、無線基地局Ｂのパイロット信号の受信電力は、当初−８０ｄＢｍであるが、徐々に小さくなり、−８６ｄＢｍとなった時点で無線基地局Ａのパイロット信号−８５ｄＢｍよりも小さくなる。この時点で、無線基地局Ｂは、携帯端末Ｃを無線基地局Ａへハンドオフ可能と判定する。
【００８７】
図４に戻って、携帯端末１０１Ａについてハンドオフ可能と判定された場合について説明を続ける。
【００８８】
Ｓ７０では、無線基地局１００Ｂのプロトコル処理部２０７は、ゲートウェイ１０２へハンドオフ可と判定された携帯端末１０１Ａについてのハンドオフ要求を通知し、ゲートウェイ１０２は、無線基地局１００Ａへハンドオフ要求を通知する。Ｓ８０では、無線基地局１００Ａのプロトコル処理部２０７は、携帯端末１０１Ａについてのハンドオフ要求を受け付けた旨をゲートウェイ１０２に通知し、ゲートウェイ１０２は、無線基地局１００Ｂへハンドオフ要求を受け付けた旨を通知する。ゲートウェイ１０２は、携帯端末１０１Ａの無線基地局１００Ｂから無線基地局１００Ａへのハンドオフ処理（例えば、位置情報の登録等）を行うとともに、携帯端末１０１Ａを無線基地局１００Ｂから無線基地局１００Ａへハンドオフさせる。無線基地局１００Ａのプロトコル処理部２０７は、ハンドオフ処理の際に発生するイベントの記録を行う。
【００８９】
Ｓ９０では、ハンドオフの結果、携帯端末１０１Ａは、無線基地局１００Ａと呼接続中であり、無線基地局１００Ａ及びゲートウェイ１０２を介して、ネットワーク１０３上の端末や他の無線基地局１００に接続されている端末等と、データ通信や音声通信を行っている。一方、携帯端末１０１Ｂは、無線基地局１００Ｂと呼接続中である。
【００９０】
Ｓ１００では、無線基地局１００Ｂのハンドオフ判定部２１１は、呼接続中の携帯端末１０１から定期的に送信されるパイロット信号の受信電力報告（Ｓ１１０）に基づいてハンドオフ判定処理を行う。ハンドオフ判定処理は、上述した通りである。
【００９１】
携帯端末１０１Ｂについてハンドオフ不可と判定された場合について説明を続ける。
【００９２】
Ｓ１２０では、無線基地局１００Ｂの送信電力制御部２０６は、ハンドオフ判定部２１１の指示（図６のＳ５６の指示又は全ての携帯端末１０１がハンドオフ可と判定された場合の指示）に応じて、送信電力の減衰を終了（停止）するとともに、送信電力減衰終了通知の送信を、プロトコル処理部２０７に指示する。プロトコル処理部２０７は、送信電力減衰終了通知を、送信電力減衰指示通知の送信元の無線基地局１００Ａへ、回線インタフェース部２０２を介して送信する。なお、当該通知は、ゲートウェイ１０２を介して各無線基地局１００に送信される。
【００９３】
Ｓ２１０では、無線基地局１００Ａの診断処理部２１０は、診断処理を行う。具体的には、診断処理部２１０は、回線インタフェース部２０２及びプロトコル処理部２０７を介して、無線基地局１００Ａの周辺の全ての無線基地局１００から、送信電力減衰終了通知を受け付けた場合に、診断処理を開始する。診断処理部２１０は、プロトコル処理部２０７により実行される携帯端末１０１のハンドオフの際の呼処理で発生したイベントの記録を、プロトコル処理部２０７から取得する。そして、イベントの記録を解析して、無線基地局１００Ａが正常か否かを示す情報を含む診断結果を生成し、当該診断結果を保守端末１０４へ送信するようにプロトコル処理部２０７に指示する。イベントの記録も診断結果に含めて保守端末１０４へ送信するようにしてもよい。
【００９４】
ここで、イベントの記録には、例えば、「正常」、「準正常」、「異常」等の属性が含まれている。診断処理部２１０は、「正常」及び「準正常」属性のみが記録されている場合、無線基地局１００Ａは正常であると判定する。「異常」属性が記録されている場合、無線基地局１００Ａに障害が発生したと判定する。
【００９５】
例えば、携帯端末１０１がダイアルアップの切断を行った場合や、携帯端末１０１の電源投入や新セッションの確立により認証が完了した場合等の記録は、通常の運用時のイベントであるため「正常」属性となる。また、例えば、無線基地局１００の呼処理のＣＰＵ使用率が過剰なため呼接続が失敗した場合の記録は、無線基地局１００の輻輳が原因であり、故障ではないため「準正常」属性となる。また、例えば、無線基地局１００からネットワーク１０３上の上位ノードへの端末認証要求に対して、上位ノードから応答がない場合の記録は、装置の故障が考えられるため「異常」属性となる。
【００９６】
もちろん、上記のイベントの記録は、一例であり、無線基地局１００の動作が正常か否かを判定可能な情報であれば、他の形式あってもよい。
【００９７】
Ｓ２２０では、無線基地局１００Ａのプロトコル処理部２０７は、診断処理部２１０により生成された診断結果を含む診断結果報告（Ｓ１１０）を、回線インタフェース部２０２を介して保守端末１０４に送信する。診断処理部２１０は、診断結果報告の送信後、診断処理の終了を呼接続数低下検出部２０９に通知する。
【００９８】
Ｓ２３０では、保守端末１０４は、無線基地局１００Ａから送信された診断結果報告を基地局ＤＢ３０４０に格納する。なお、保守端末１０４は、診断結果に「異常」を示す情報が含まれる場合、例えば、障害発生を示す警告を、出力部３０３をに出力したり、回線インタフェース部３００を介して所定の保守者の携帯端末に通知したりする。
【００９９】
Ｓ２４０では、無線基地局１００Ａの呼接続数低下検出部２０９は、診断処理部２１０の指示に応じて、送信電力復旧指示通知の送信をプロトコル処理部２０７に指示する。プロトコル処理部２０７は、呼接続数低下検出部２０９の指示に応じて、記憶部２０８から周辺基地局情報２０８０を取得し、当該情報により特定される無線基地局１００（無線基地局１００Ｂを含む。）へ、送信電力復旧指示通知を、回線インタフェース部２０２を介して送信する。当該通知は、ゲートウェイ１０２を介して各無線基地局１００に送信される。
【０１００】
Ｓ２５０では、無線基地局１００Ｂの送信電力制御部２０６は、回線インタフェース部２０２及びプロトコル処理部２０７を介して送信電力復旧指示通知を受信し、送信電力の復旧を行う。送信電力制御部２０６は、減衰した送信電力を減衰開始（Ｓ４０）前の通常の電力まで復旧させる。
【０１０１】
以上のようにして、呼接続数が０又は所定値以下の無線基地局１００に対して、ある程度の量のトラフィックを発生させて、診断を行うことができる。
【０１０２】
以上の図４〜６の各処理単位は、無線基地局１００、携帯端末１０１、ゲートウェイ１０２、及び保守端末１０４の処理を理解容易にするために、主な処理内容に応じて分割したものである。処理単位の分割の仕方や名称によって、本願発明が制限されることはない。これらの装置の処理は、処理内容に応じて、さらに多くの処理単位に分割することもできる。また、１つの処理単位がさらに多くの処理を含むように分割することもできる。
【０１０３】
以上、本発明の第一実施形態について説明した。本実施形態によれば、トラフィックがない又は少ない場合に発生する可能性が低い又は可能性がない基地局の障害を、簡単に検出することができる。
【０１０４】
即ち、本実施形態では、呼接続数が０又は所定値以下の第１の無線基地局に対し、当該第１の無線基地局の周辺の所定の第２の無線基地局に呼接続されている携帯端末を、第２の無線基地局の送信電力を減衰させることによりハンドオフし、その際に第１の無線基地局において発生する呼処理のイベントの結果を収集することにより、第１の無線基地局に障害があるか否か（正常性）を診断する。このような構成により、トラフィックがない又は少ない場合に発生する可能性が低い又は可能性がない基地局の障害を、簡単に検出することができる。
【０１０５】
次に、本発明の第二実施形態について図面を参照して説明する。
【０１０６】
本実施形態では、呼接続数が０又は所定値以下の第１の無線基地局に対し、当該第１の無線基地局の周辺の所定の第２の無線基地局に呼接続されている携帯端末を、携帯端末の接続先切り替え機能を利用することにより切り替えさせ、その際に第１の無線基地局において発生する呼処理のイベントの結果を収集することにより、第１の無線基地局に障害があるか否か（正常性）を診断する。以下、第一実施形態と異なる点を中心に説明する。
【０１０７】
本実施形態では、無線基地局１００の基地局制御部２０３に、ハンドオフ判定部２１１（図２）の代わりに接続先切替判定部を設ける。送信電力制御部２０６は設けられていなくてもよい。携帯端末１０１は、呼接続中の無線基地局１００からの指示に応じて、指定された他の無線基地局１００に呼接続を切り替える機能を有する。指定される無線基地局１００は、受信電力が最大である必要はない。なお、本実施形態でいう接続先切り替えは、ハンドオフと呼んでもよい。
【０１０８】
図７は、本発明の第二実施形態の一例に係る無線基地局診断を示すシーケンス図である。
【０１０９】
Ｓ５１０では、携帯端末１０１は、無線基地局１００Ｂと呼接続中であり、無線基地局１００Ｂ及びゲートウェイ１０２を介して、ネットワーク１０３上の端末や、他の無線基地局１００に接続されている端末等と、データ通信や音声通信を行っている。
【０１１０】
Ｓ５２０は、図４のＳ２０とほぼ同様である。ただし、無線基地局１００Ａの呼接続数低下検出部２０９は、呼接続数が低下した状態が継続していると判定した場合、所定の周辺の無線基地局１００（無線基地局１００Ｂを含む。）に呼接続されている携帯端末１０１の接続先を、無線基地局１００Ａに切り替えるための接続先切替指示通知の送信を、プロトコル処理部２０７に指示する。
【０１１１】
Ｓ５３０では、無線基地局１００Ａのプロトコル処理部２０７は、接続先切替指示通知を自基地局の周辺の所定の無線基地局１００に送信する。なお、当該通知は、ゲートウェイ１０２を介して各無線基地局１００に送信される。
【０１１２】
Ｓ５４０では、無線基地局１００Ｂの接続先切替判定部は、回線インタフェース部２０２及びプロトコル処理部２０７を介して接続先切替指示通知を受信し、呼接続中の携帯端末１０１から定期的に送信されるパイロット信号の受信電力報告（Ｓ５５０）に基づいて接続先切替判定処理を行う。具体的に、図８を参照して説明する。図８は、本発明の第二実施形態の一例に係る接続先切替判定処理を示すフロー図である。なお、本フローは、呼接続中の携帯端末毎にそれぞれ実行される。
【０１１３】
Ｓ５４１では、接続先切替判定部は、携帯端末１０１から受信電力報告を受信したか否かを監視する。受信電力報告を受信した場合（Ｓ５４１：ＹＥＳ）、処理をＳ５４２に進める。受信電力報告を受信していない場合（Ｓ５４１：ＮＯ）、監視を継続する。
【０１１４】
Ｓ５４２では、接続先切替判定部は、取得した受信電力報告（Ｓ５４１）を参照し、接続先切替指示通知の送信元の診断対象の無線基地局の受信電力が最低受信電力よりも大きいか否かを判定する。診断対象基地局（無線基地局１００Ａ）の受信電力が最低受信電力以下である場合（Ｓ５４２：ＮＯ）、接続先切替判定部は、処理をＳ５４４に進める。診断対象基地局（無線基地局１００Ａ）の受信電力が最低受信電力よりも大きい場合（Ｓ５４２：ＹＥＳ）、処理をＳ５４３に進める。
【０１１５】
Ｓ５４３では、接続先切替判定部は、携帯端末１０１を診断対象の無線基地局１００Ａへ接続切り替え可能であると判定し、接続先切替要求を送信するようにプロトコル処理部２０７に指示する。そして、本フローを終了する。
【０１１６】
Ｓ５４４では、接続先切替判定部は、携帯端末１０１を診断対象の無線基地局１００Ａへ接続切り替え不可能と判定する。そして、本フローを終了する。
【０１１７】
なお、接続先切替判定部は、現在呼接続中の全ての携帯端末１０１について接続先切替判定処理を行った場合、処理を終了する。
【０１１８】
ここで、図９の携帯端末１０１の受信電力の具体例を参照して、接続先切替判定処理を説明する。なお、本図では、無線基地局Ａが診断対象であり、携帯端末Ａ〜Ｃは、それぞれ無線基地局Ｂと呼接続を行っている。また、最低受信電力は、−９０ｄＢｍである。無線基地局Ｂは、無線基地局Ａから接続先切替指示を受信することにより、接続先切替判定処理を開始する。
【０１１９】
携帯端末Ａでは、無線基地局Ａのパイロット信号の受信電力−８０ｄＢｍは、最低受信電力−９０ｄＢｍよりも大きい。従って、無線基地局Ｂは、携帯端末Ａを無線基地局Ａへ接続切り替え可能と判定する。
【０１２０】
携帯端末Ｂでは、無線基地局Ａのパイロット信号の受信電力−９２ｄＢｍは、最低受信電力−９０ｄＢｍよりも小さい。従って、無線基地局Ｂは、携帯端末Ｂを無線基地局Ａへ接続切り替え不可能と判定する。
【０１２１】
携帯端末Ｃでは、無線基地局Ａのパイロット信号の受信電力−８５ｄＢｍは、最低受信電力−９０ｄＢｍよりも大きい。従って、無線基地局Ｂは、携帯端末Ｃを無線基地局Ａへ接続切り替え可能と判定する。
【０１２２】
図７に戻って、携帯端末１０１について接続切り替え可能と判定された場合について説明を続ける。
【０１２３】
Ｓ５６０では、無線基地局１００Ｂのプロトコル処理部２０７は、無線基地局１００Ａへの接続先切替要求を、接続切り替え可能と判定された携帯端末１０１に対して通知する。
【０１２４】
Ｓ５７０では、携帯端末１０１は、無線基地局１００Ｂから通知された接続先切替要求で指定された接続切替先である無線基地局Ａに対して呼接続を要求し、接続先を無線基地局Ｂから無線基地局Ａへ切り替える。なお、無線基地局１００Ａのプロトコル処理部２０７は、携帯端末１０１の呼接続処理の際に発生するイベントの記録を行う。
【０１２５】
Ｓ５８０では、接続先切り替えの結果、携帯端末１０１は、無線基地局１００Ａと呼接続中であり、無線基地局１００Ａ及びゲートウェイ１０２を介して、ネットワーク１０３上の端末や他の無線基地局１００に接続されている端末等と、データ通信や音声通信を行っている。
【０１２６】
Ｓ５９０では、無線基地局１００Ｂのプロトコル処理部２０７は、接続先切替判定処理により切り替え可能と判定された全ての携帯端末１０１の接続先切替が終了した場合に、接続先切替終了通知を、接続先切替指示通知の送信元の無線基地局Ａに送信する。
【０１２７】
Ｓ６１０では、無線基地局１００Ａの診断処理部２１０は、回線インタフェース部２０２及びプロトコル処理部２０７を介して、無線基地局１００Ａの周辺の全ての又は所定数の無線基地局１００から、接続先切替終了通知を受け付けた場合に、診断処理を行う。診断処理の内容は、上述した通りである。
【０１２８】
Ｓ６２０では、無線基地局１００Ａのプロトコル処理部２０７は、診断処理部２１０により生成された診断結果を含む診断結果報告（Ｓ６１０）を、回線インタフェース部２０２を介して保守端末１０４に送信する。
【０１２９】
Ｓ６２０は、図４のＳ２３０と同様である。
【０１３０】
以上のようにして、呼接続数が０又は所定値以下の無線基地局１００に対して、ある程度の量のトラフィックを発生させて、診断を行うことができる。
【０１３１】
以上の図７〜図８の各処理単位は、無線基地局１００、携帯端末１０１、ゲートウェイ１０２、及び保守端末１０４の処理を理解容易にするために、主な処理内容に応じて分割したものである。処理単位の分割の仕方や名称によって、本願発明が制限されることはない。これらの装置の処理は、処理内容に応じて、さらに多くの処理単位に分割することもできる。また、１つの処理単位がさらに多くの処理を含むように分割することもできる。
【０１３２】
以上、本発明の第二実施形態について説明した。本実施形態によれば、第一実施形態と同様に、トラフィックがない又は少ない場合に発生する可能性が低い又は可能性がない基地局の障害を、簡単に検出することができる。
【０１３３】
即ち、本実施形態では、呼接続数が０又は所定値以下の第１の無線基地局に対し、当該第１の無線基地局の周辺の所定の第２の無線基地局に呼接続されている携帯端末を、携帯端末の接続先切り替え機能を利用することにより切り替えさせ、その際に第１の無線基地局において発生する呼処理のイベントの結果を収集することにより、第１の無線基地局に障害があるか否か（正常性）を診断する。このような構成により、トラフィックがない又は少ない場合に発生する可能性が低い又は可能性がない基地局の障害を、簡単に検出することができる。
【０１３４】
以上の本発明の実施形態は、本発明の要旨と範囲を例示することを意図し、限定するものではない。多くの代替物、修正および変形例が当業者にとって明らかである。
【符号の説明】
【０１３５】
１：無線通信システム、１００（１００Ａ、１００Ｂ）：無線基地局、１０１（１０１Ａ、１０１Ｂ）：携帯端末、１０２：ゲートウェイ、１０３：ネットワーク、１０４：保守端末、２００：無線信号送受信部、２０１：変復調処理部、２０２：回線インタフェース部、２０３：基地局制御部、２０４：０系アンテナ、２０５：１系アンテナ、２０６：送信電力制御部、２０７：プロトコル処理部、２０８：記憶部、２０８０：周辺基地局情報、２０９：呼接続数低下検出部、２１０：診断処理部、２１１：ハンドオフ判定部、３００：回線インタフェース部、３０１：基地局情報収集部、３０２：入力部、３０３：出力部、３０４：記憶部、３０４０：基地局ＤＢ
【図１】
2011259133.tif 000003
【図２】
2011259133.tif 000004
【図３】
2011259133.tif 000005
【図４】
2011259133.tif 000006
【図５】
2011259133.tif 000007
【図６】
2011259133.tif 000008
【図７】
2011259133.tif 000009
【図８】
2011259133.tif 000010
【図９】
2011259133.tif 000011